(57)【要約】【課題】束ねられた電源ケーブルが機器本体からぶら下がってしまう。【解決手段】Ｓ字板状の一対のクリップ部材１、２を対向配置してヒンジ部３で連結すると共に、該ヒンジ部３に一対のクリップ部材１、２の閉鎖方向への付勢手段４を設け、一対のクリップ部材１、２の先端を櫛歯部５、６とし、一方のクリップ部材１の櫛歯部５と他方のクリップ部材２の櫛歯部６を噛み合わせ、どちらか一方のクリップ部材２の基端部に、電気機器の一部へ取り付け可能な取着手段７を設けたケーブルクリップの基端側を摘んで開き、一纏めに束ねた電源ケーブルＫを挟んで、取着手段７を取付対象である機器本体の一部に取り付けることによって、束ねた電源ケーブルＫを機器本体に固定可能にする。【選択図】図５
2015086933.tif 000002
【特許請求の範囲】
【請求項１】
Ｓ字板状の一対のクリップ部材を対向配置し、該一対のクリップ部材を、内側へ湾曲した摘み部位でヒンジ部を介して連結すると共に、該ヒンジ部に、一対のクリップ部材の外側への湾曲した挟み部位を閉じ方向に付勢する手段を設け、一対のクリップ部材の挟み部位の先端に櫛歯部を形成すると共に、一方のクリップ部材の櫛歯部と他方のクリップ部材の櫛歯部を噛み合わせ、どちらか一方のクリップ部材の摘み部位に、取付対象の一部へ取り付け可能な取着手段を設けたことを特徴とするクリップ。
【請求項２】
上記取着手段を、前記一対のクリップ部材の少なくともどちらか一方の基端部より連続形成された爪体と、該爪体が形成されたクリップ部材の摘み部位とで構成され、前記爪体は弾性変形可能にし、前記爪体の先端と前記クリップ部材の外側面との間に隙間を形成したことを特徴とする請求項１記載のクリップ。
【請求項３】
上記取着手段を、前記一対のクリップ部材の少なくともどちらか一方に設けられた磁石としたことを特徴とする請求項１記載のクリップ。
【発明の詳細な説明】
【技術分野】
【０００１】
本発明は、例えばアイロンの把手の様な電気機器の一部に、電源ケーブルを一纏めに束ねて取り付け可能なクリップに関する。
【背景技術】
【０００２】
従来、例えばアイロンの把手の様な電気機器の電源ケーブルは、機器本体に一体的で取外し不可のものが一般的で、不使用時には、電源ケーブルに取り付けられた結束バンドにより一纏めに束ねるのが一般的である（例えば、特許文献１参照）。
【先行技術文献】
【特許文献】
【０００３】
【特許文献１】実用新案登録第３０３７０１４号公報（段落番号〔０００３〕、図３参照）
【発明の概要】
【発明が解決しようとする課題】
【０００４】
しかし、上記従来技術にあっては、使用後に保管場所に収容する際に片手で持ち運ぶが、束ねられた電源ケーブルが機器本体からぶら下がった状態になって、機器本体の真下に位置してしまうため、邪魔にならないように自由なもう一方の手で傍らに避けねばならないなど、解決せねばならない課題があった。
【課題を解決するための手段】
【０００５】
本発明は、束ねられた電源ケーブルが機器本体からぶら下がってしまう課題に鑑み、Ｓ字板状の一対のクリップ部材を対向配置してヒンジ部で連結すると共に、該ヒンジ部に一対のクリップ部材の閉鎖方向への付勢手段を設け、一対のクリップ部材の先端を櫛歯部とし、一方のクリップ部材の櫛歯部と他方のクリップ部材の櫛歯部を噛み合わせ、どちらか一方のクリップ部材の基端部に、取付対象の一部へ取り付け可能な取着手段を設けたクリップの基端側を摘んで開き、一纏めに束ねた電源ケーブルを挟んで、取着手段を取付対象である機器本体の一部に取り付けることによって、束ねた電源ケーブルを機器本体に固定可能にして、上記課題を解決する。
【発明の効果】
【０００６】
要するに本願は、Ｓ字板状の一対のクリップ部材を対向配置してヒンジ部で連結すると共に、該ヒンジ部に一対のクリップ部材の閉鎖方向への付勢手段を設け、一対のクリップ部材の先端を櫛歯部とし、一方のクリップ部材の櫛歯部と他方のクリップ部材の櫛歯部を噛み合わせているので、束ねた電源ケーブルを挟むだけで手間をかけずに一纏めにすることが出来、而もどちらか一方のクリップ部材の基端部に、取付対象の一部へ取り付け可能な取着手段を設けているので、該取着手段により機器本体に一纏めに束ねられた電源ケーブルを固定することにより、該電源ケーブルが機器本体からぶら下がらず機器本体の下方に電源ケーブルがないため、収容時にそのまま置くことが出来る。
【０００７】
具体的には、上記取着手段を、前記一対のクリップ部材の少なくともどちらか一方の基端部より連続形成された爪体と、該爪体が形成されたクリップ部材の摘み部位とで構成され、前記爪体は弾性変形可能にし、前記爪体の先端と前記クリップ部材の外側面との間に隙間を形成したり、或いは前記一対のクリップ部材の少なくともどちらか一方に設けられた磁石としたので、前者にあっては、爪体と摘み部位との間に取付対象の一部を挟入することで取り付けることが出来、後者にあっては、一部に金属部位がある取付対象に取り付けることが出来る等その実用的効果甚だ大である。
【図面の簡単な説明】
【０００８】
【図１】本発明に係るコ−ドクリップの実施例１の正面図である。
【図２】図１のコ−ドクリップの平面図である。
【図３（ａ）】図２のＡ−Ａ断面図である。
【図３（ｂ）】図２のＢ−Ｂ断面図である。
【図４】図１のコ−ドクリップの拡開状態を示す正面図である。
【図５】図１のコ−ドクリップの使用状態を示す正面図である。
【図６】本発明に係るコ−ドクリップの実施例２の正面図である。
【図７】図６のコ−ドクリップの平面図である。
【図８】図７のＣ−Ｃ断面図である。
【図９】図６のコ−ドクリップの使用状態を示す正面図である。
【発明を実施するための形態】
【０００９】
以下、本発明に係るコ−ドクリップを実施するための形態を図面に基づき説明する。
本発明に係るコ−ドクリップは、基本的に、Ｓ字板状の一対のクリップ部材１、２を対向配置し、該一対のクリップ部材１、２を、基端側の内側へ湾曲した部位でヒンジ部３を介して連結すると共に、該ヒンジ部３に、一対のクリップ部材１、２の先端側の外側へ湾曲した部位を閉じ方向に付勢する手段４を設け、一対のクリップ部材１、２の先端に櫛歯部５、６を形成すると共に、一方のクリップ部材１の櫛歯部５と他方のクリップ部材２の櫛歯部６を噛み合わせ、一対のクリップ部材１、２の基端部のどちらか一方に、電気機器の一部へ取り付け可能な取着手段７を設けている。
【実施例１】
【００１０】
図１〜４に示す様に、一対のクリップ部材１、２にあっては、プラスチック、木、金属、セラミックスなどの素材からなり、先端側の外側へ湾曲した挟み部位1a、2aと基端側の内側へ湾曲した摘み部位1b、2bとが連続一体化された縦長Ｓ字板状に形成され、一方のクリップ部材１の幅を他方のクリップ部材２より広くし、挟み部位1a、2aに複数本のスリット８、8a…、９、9a…を幅方向に等間隔に並列形成し、該スリット８、8a…、９、9a…は、挟み部位1a、2aの先端より中間部まで至る様に形成して、スリット８、8a…、９、9a…及び該スリット８、8a…、９、9a…の幅より狭い櫛歯10、10a …、11、11a …から成る櫛歯部５、６を形成している。
【００１１】
ヒンジ部３にあっては、一対のクリップ部材１、２を基端側の摘み1b、2bの内面で連結しており、一方のクリップ部材１側に内方突設した一対のブラケット12、12a と、他方のクリップ部材２側に内方突設した一対のブラケット13、13a と、一方のブラケット12、13の重なった先端部と他方のブラケット12a 、13a の重なった先端部に両端部を貫通させた回転可能な軸14とを有している。
【００１２】
付勢手段４にあっては、軸14に外嵌した所謂「ねじりコイルバネ（キックバネ）」とし、両端部を一対のクリップ部材１、２の内面の基端側部位に当接させている。
【００１３】
取着手段７にあっては、他方のクリップ部材２の基端部より連続形成された一対の爪体15、15a と他方のクリップ部材２の摘み部位2bとで構成され、該爪体15、15a は摘み部位2bの形状に沿った湾曲状に形成され、且つ弾性変形可能にし、爪体15、15a の先端と他方のクリップ部材２の外側面との間に隙間16が形成されている。
【実施例２】
【００１４】
図６〜９に示す様に、一対のクリップ部材１、２、ヒンジ部３及び付勢手段４は、上記実施例１と同構成であるが、取着手段７が異なり、該取着手段７を、一方のクリップ部材１における挟み部位1aの外側面に固設された複数個の磁石17、17a …とし、該磁石17、17a …は一方のクリップ部材１の幅方向に所定間隔毎に並列配置されている。
【００１５】
次に、本発明に係るクリップの作用について説明する。
本発明に係るクリップで、図４に示す様に摘み部位1b、2bを摘み拡開状態にして、束ねられた電気機器のケーブルＫを一対のクリップ部材１、２の間に入れ込んだ後に緩めて、閉じ方向に戻る一対のクリップ部材１、２で束ねられた電気機器のケーブルＫを挟み一纏めにし、電気機器の取着対象部位Ｗに隙間16を押し付ければ、取着手段７である爪体15、15a が変形し隙間16が拡がって、爪体15、15a と他方のクリップ部材２の基端部との間に取着対象部位Ｗ（例えばアイロンの把手）が嵌まり込んで、図５に示す実施例１にあっては、ケーブルＫを一纏めに束ねたクリップが電気機器に取り付けられ、図９に示す実施例２にあっては、金属製の取着対象部位Ｗの表面に磁石17、17a …で磁着する。
【００１６】
又、掴んだケーブルＫの量に拘らず、一対のクリップ部材１、２により、束ねられたケーブルＫを一纏めにすることを可能にしている。
【００１７】
尚、上記クリップには、その他の使用法があり、例えば使用中の電気機器の電源ケーブル、ＰＣ周辺機器（マウス、プリンター、外付けディスクドライブ、ＵＳＢ機器など）のケーブル、モジュラーケーブル、室内配線などで必要以上に長い場合に、余剰部分を束ねて一纏めにし、棚、机、内装材等の適宜箇所に取り付けることも可能とする。
【００１８】
又、取着手段７は、上記実施例１、２の形態に限定せず、要するに取着対象部位Ｗに対し着脱可能に取着出来る構成であれば良いが、好ましくは一体的に形成された構成とする。
【００１９】
又、本発明に係るクリップは、使用対象がケーブルＫだけでなく、例えば図９に示す様に、取着対象部位Ｗをホワイトボードとし、使用対象をペンＰとするなど、取着対象部位Ｗを有する物品に対し必要不可欠な物品を一纏めにすることを目的として使用することを可能にしている。
【符号の説明】
【００２０】
１、２      クリップ部材
1a、2a      挟み部位
1b、2b      摘み部位
３          ヒンジ部
４          付勢手段
５、６      櫛歯部
７          取着手段
15、15a     爪体
16          隙間
17、17a …  磁石
【図１】
2015086933.tif 000003
【図２】
2015086933.tif 000004
【図３（ａ）】
2015086933.tif 000005
【図３（ｂ）】
2015086933.tif 000006
【図４】
2015086933.tif 000007
【図５】
2015086933.tif 000008
【図６】
2015086933.tif 000009
【図７】
2015086933.tif 000010
【図８】
2015086933.tif 000011
【図９】
2015086933.tif 000012